(57)【要約】  【課題】  不正解錠されにくく、解錠のための番号を簡単に変更することができる押しボタン錠装置の提供。  【解決手段】  ケース部材８の表面側に出退可能に設けられた複数の押しボタン１０を設け、所定の押しボタン１０を押して、操作部材１１をロック部材１２の退入方向に操作すると解錠することができ、また、操作部材１１を押すと押しボタン１０の押した状態で保持されているタンブラー１４のリセットを行うことができる。【選択図】  図２
2005089998.tif 000002
【特許請求の範囲】
【請求項１】
ケース部材と、前記ケース部材の表面側に出退可能に設けられた複数の押しボタンと、前記押しボタンに対応して設けられ、押しボタンの押動操作により移動する複数のタンブラーと、前記タンブラーの位置によって移動を規制されるスライド部材と、押しボタンを押したときの位置でタンブラーを保持するタンブラー保持部材と、前記スライド部材を外部から操作することができる操作部材と、前記スライド部材の移動によって退入するロック部材とを有し、所定の押しボタンを押すと前記スライド部材が移動可能となって、この状態で操作部材を操作すると、ロック部材が退入してロック解除が可能である押しボタン錠装置であって、
前記操作部材は少なくとも２方向へ操作することができ、操作部材を第１の方向に移動させるとタンブラー保持部によるタンブラーの保持を解除することができ、所定の押しボタンを押した状態で操作部材を第２の方向に移動させるとロック部材を退入させることができることを特徴とする押しボタン錠装置。
【請求項２】
前記第１の方向は押しボタンの押動方向に平行であり、前記第２の方向は前記ロック部材の退入方向であることを特徴とする請求項１に記載の押しボタン錠装置。
【請求項３】
前記スライド部材及びタンブラー保持部材は前記第２の方向に移動可能であり、前記押しボタンの配列は直線状であって、その配列方向は前記第２の方向に平行であることを特徴とする請求項２に記載の押しボタン錠装置。
【請求項４】
所定の押しボタンを押した状態で操作部材を第２の方向に移動させると、ロック部材を退入させつつ、タンブラー保持部材によるタンブラーの保持を解除することが可能であることを特徴とする請求項１〜３のいずれかに記載の押しボタン錠装置。
【請求項５】
前記スライド部材及びタンブラー保持部材は、前記第２の方向に移動可能であり、前記操作部材には傾斜部が設けられて、前記傾斜部はタンブラー保持部材に接触しており、操作部材を第１の方向及び第２の方向のいずれ方向に操作した場合にも、タンブラー保持部材を第２の方向に押すことができることを特徴とする請求項４に記載の押しボタン錠装置。
【請求項６】
前記タンブラーには突起が設けられて、スライド部材にはタンブラー側に突出した移動規制突起が設けられ、いずれかのタンブラーの突起の位置が前記移動規制突起の位置に合致するとスライド部材の移動を規制することを特徴とする請求項３〜５のいずれかに記載の押しボタン錠装置。
【請求項７】
前記タンブラーは、第１回転位置と、前記第１回転位置から押しボタンの押動方向を軸として回転した第２回転位置とで使用することができ、第１回転位置では、押しボタンを押さない状態でスライド部材には移動規制突起とタンブラーの突起の位置が合うものであり、第２回転位置では、押しボタンを押してタンブラー保持部材で保持される状態でスライド部材には移動規制突起とタンブラーの突起の位置が合うものであり、第１回転位置のタンブラーに対応する押しボタンを押した状態で操作部材を他方の方向に移動させるとロック部材を退入させることができることを特徴とする請求項１〜６のいずれかに記載の押しボタン錠装置。
【請求項８】
ケース部材と、前記ケース部材の表面側に出退可能に設けられた複数の押しボタンと、前記押しボタンに対応して設けられ、押しボタンの押動操作により移動する複数のタンブラーと、前記タンブラーの位置によって移動を規制されるスライド部材と、押しボタンを押したときの位置でタンブラーを保持するタンブラー保持部材と、前記スライド部材を外部から操作することができる操作部材と、前記スライド部材の移動によって退入するロック部材とを有し、所定の押しボタンを押すと前記スライド部材が移動可能となって、この状態で操作部材を操作すると、ロック部材が退入してロック解除が可能である押しボタン錠装置であって、
前記タンブラーは、第１回転位置と、前記第１回転位置から押しボタンの押動方向を軸として回転した第２回転位置とで使用することができ、第１回転位置では、押しボタンを押してタンブラー保持部材で保持される状態でスライド部材には移動規制突起とタンブラーの突起の位置が合うものであり、第２回転位置では、押しボタンを押さない状態でスライド部材には移動規制突起とタンブラーの突起の位置が合うものであり、第１回転位置のタンブラーに対応する押しボタンを押した状態で操作部材を他方の方向に移動させるとロック部材を退入させることができるものであり、
さらに、タンブラーを裏面側から突出させてタンブラーを直接回動し、第１回転位置と第２回転位置との変更することができることを特徴とする押しボタン錠装置。
【請求項９】
ケース部材の裏面側には、タンブラーを挿入することができるガイド孔が設けられ、前記ガイド孔は第１回転位置及び第２回転位置でタンブラーの回転を阻止することができることを特徴とする請求項７又は８に記載の押しボタン錠装置。
【発明の詳細な説明】
【技術分野】
【０００１】
本発明は、押しボタンを押して解錠することができる押しボタン錠装置に関するものである。
【背景技術】
【０００２】
従来より、所定の番号の押しボタンを押し、その番号が正しい場合にのみ解錠することができる押しボタン式の錠装置が実用化されている。そして、この出願の発明に関連する先行技術文献情報として次のものがある。
【０００３】
【特許文献１】特開平１１−３０３４７２号公報
【０００４】
特許文献１には、表面に設けられた押しボタンに対応してタンブラーが設けられ、タンブラーには解錠用タンブラーと非解錠用タンブラーとを有し、解錠用のタンブラーに対応する押しボタンを押すと、スライド部材がタンブラーの移動方向に直交する方向に移動可能となり、操作部を操作して解錠する押しボタン錠装置が記載されている。
【０００５】
特許文献１に記載の押しボタン錠装置では、一旦押しボタンを押すとタンブラーはタンブラー保持部材となる位置決め片により係止される。そして、誤って押しボタンを押した場合には、クリアボタンによって位置決め片の係止を解くことができるので、押しボタンの操作をやり直すことができる。
【発明の開示】
【発明が解決しようとする課題】
【０００６】
このような押しボタン錠装置は、押しボタンの数が多ければ多いほどその組み合わせの数が多くなり不正解錠されにくくなるが、押しボタンの数が多くなるほど装置が大きくなってしまう。
【０００７】
また、施錠装置の使用者が変更した場合における前の使用者など、使用者以外の者が番号を知っている場合には、使用者以外に解錠されるおそれがある。しかし、特許文献１等に記載されている錠装置では構造が複雑であり、構造を知らないものには簡単に番号を変更することができず、専門業者などが行っていた。したがって、解錠のための番号を簡単に変更することができるものが望まれていた。
【０００８】
そこで、本発明は、不正解錠がされにくく、より小型化が可能で操作が簡単な押しボタン錠装置を提供することを課題とする。
【課題を解決するための手段】
【０００９】
そして、上記した目的を達成するための請求項１に記載の発明は、ケース部材と、前記ケース部材の表面側に出退可能に設けられた複数の押しボタンと、前記押しボタンに対応して設けられ、押しボタンの押動操作により移動する複数のタンブラーと、前記タンブラーの位置によって移動を規制されるスライド部材と、押しボタンを押したときの位置でタンブラーを保持するタンブラー保持部材と、前記スライド部材を外部から操作することができる操作部材と、前記スライド部材の移動によって退入するロック部材とを有し、所定の押しボタンを押すと前記スライド部材が移動可能となって、この状態で操作部材を操作すると、ロック部材が退入してロック解除が可能である押しボタン錠装置であって、前記操作部材は少なくとも２方向へ操作することができ、操作部材を第１の方向に移動させるとタンブラー保持部によるタンブラーの保持を解除することができ、所定の押しボタンを押した状態で操作部材を第２の方向に移動させるとロック部材を退入させることができることを特徴とする押しボタン錠装置である。
【００１０】
請求項１に記載の発明によれば、操作部材は少なくとも２方向へ操作することができ、操作部材を第１の方向に移動させるとタンブラー保持部によるタンブラーの保持を解除することができ、所定の押しボタンを押した状態で操作部材を第２の方向に移動させるとロック部材を退入させることができるので、従来必要であった操作部とタンブラーの保持を解除するための部分を１つとすることができるので、同じ大きさでもより多くの押しボタンを設置することができ、不正解錠されにくくすることができる。
【００１１】
請求項２に記載の発明は、前記第１の方向は押しボタンの押動方向に平行であり、前記第２の方向は前記ロック部材の退入方向であることを特徴とする請求項１に記載の押しボタン錠装置である。
【００１２】
請求項２に記載の発明によれば、第１の方向は押しボタンの押動方向に平行であり、前記第２の方向は前記ロック部材の退入方向であるので、操作部材の可動範囲を小さくでき、また、操作部材の駆動をそのままロック部材に伝達することが可能となり、構造を簡単にすることができる。
【００１３】
請求項３に記載の発明は、前記スライド部材及びタンブラー保持部材は前記第２の方向に移動可能であり、前記押しボタンの配列は直線状であって、その配列方向は前記第２の方向に平行であることを特徴とする請求項２に記載の押しボタン錠装置である。
【００１４】
請求項３に記載の発明によれば、スライド部材及びタンブラー保持部材は前記第２の方向に移動可能であり、前記押しボタンの配列は直線状であって、その配列方向は前記第２の方向に平行であるので、押しボタンに対応するタンブラーを直線状に配列し、タンブラーによってスライド部材の移動を規制し、タンブラー保持部材によるタンブラーの保持の解除を容易に行うことができる。
【００１５】
請求項４に記載の発明は、所定の押しボタンを押した状態で操作部材を第２の方向に移動させると、ロック部材を退入させつつ、タンブラー保持部材によるタンブラーの保持を解除することが可能であることを特徴とする請求項１〜３のいずれかに記載の押しボタン錠装置である。
【００１６】
請求項４に記載の発明によれば、所定の押しボタンを押した状態で操作部材を第２の方向に移動させると、ロック部材を退入させつつ、タンブラー保持部材によるタンブラーの保持を解除することが可能であるので、解錠と同時に押しボタンがリセットされるので、使用者が解錠操作の時に押しボタンのリセットを忘れることによって、押しボタンが解錠状態のままとなることを防止することができる。
【００１７】
請求項５に記載の発明は、前記スライド部材及びタンブラー保持部材は前記第２の方向に移動可能であり、前記操作部材には傾斜部が設けられて、前記傾斜部はタンブラー保持部材に接触しており、操作部材を第１の方向及び第２の方向のいずれ方向に操作した場合にも、タンブラー保持部材を第２の方向に押すことができることを特徴とする請求項４に記載の押しボタン錠装置である。
【００１８】
請求項５に記載の発明によれば、操作部材の傾斜部によって、操作部材を第１の方向及び第２の方向のいずれ方向に操作した場合にも、タンブラー保持部材を第２の方向に押すことができるので、構造を簡単にすることができる。
【００１９】
請求項６に記載の発明は、前記タンブラーには突起が設けられて、スライド部材にはタンブラー側に突出した移動規制突起が設けられ、いずれかのタンブラーの突起の位置が前記移動規制突起の位置に合致するとスライド部材の移動を規制することを特徴とする請求項３〜５のいずれかに記載の押しボタン錠装置である。
【００２０】
請求項６に記載の発明によれば、タンブラーの突起と、スライド部材の移動規制突起とによってスライド部材の移動を規制することができる。
【００２１】
請求項７に記載の発明は、前記タンブラーは、第１回転位置と、前記第１回転位置から押しボタンの押動方向を軸として回転した第２回転位置とで使用することができ、第１回転位置では、押しボタンを押さない状態でスライド部材には移動規制突起とタンブラーの突起の位置が合うものであり、第２回転位置では、押しボタンを押してタンブラー保持部材で保持される状態でスライド部材には移動規制突起とタンブラーの突起の位置が合うものであり、第１回転位置のタンブラーに対応する押しボタンを押した状態で操作部材を他方の方向に移動させるとロック部材を退入させることができることを特徴とする請求項１〜６のいずれかに記載の押しボタン錠装置である。
【００２２】
請求項７に記載の発明によれば、前記タンブラーは、第１回転位置と、前記第１回転位置から押しボタンの押動方向を軸として回転した第２回転位置とで使用することができるので、解錠用と非解錠用のタンブラーを同じものを用いて使用することができる。
【００２３】
請求項８に記載の発明は、ケース部材と、前記ケース部材の表面側に出退可能に設けられた複数の押しボタンと、前記押しボタンに対応して設けられ、押しボタンの押動操作により移動する複数のタンブラーと、前記タンブラーの位置によって移動を規制されるスライド部材と、押しボタンを押したときの位置でタンブラーを保持するタンブラー保持部材と、前記スライド部材を外部から操作することができる操作部材と、前記スライド部材の移動によって退入するロック部材とを有し、所定の押しボタンを押すと前記スライド部材が移動可能となって、この状態で操作部材を操作すると、ロック部材が退入してロック解除が可能である押しボタン錠装置であって、前記タンブラーは、第１回転位置と、前記第１回転位置から押しボタンの押動方向を軸として回転した第２回転位置とで使用することができ、第１回転位置では、押しボタンを押してタンブラー保持部材で保持される状態でスライド部材には移動規制突起とタンブラーの突起の位置が合うものであり、第２回転位置では、押しボタンを押さない状態でスライド部材には移動規制突起とタンブラーの突起の位置が合うものであり、第１回転位置のタンブラーに対応する押しボタンを押した状態で操作部材を他方の方向に移動させるとロック部材を退入させることができるものであり、さらに、タンブラーを裏面側から突出させてタンブラーを直接回動し、第１回転位置と第２回転位置との変更することができることを特徴とする押しボタン錠装置である。
【００２４】
請求項８に記載の発明によれば、第１回転位置と第２回転位置との変更を、タンブラーを裏面側から突出させてタンブラーを直接回動することによってできるので、解錠用の番号を変更することを容易に行うことができる。
【００２５】
請求項９に記載の発明は、ケース部材の裏面側には、タンブラーを挿入することができるガイド孔が設けられ、前記ガイド孔は第１回転位置及び第２回転位置でタンブラーの回転を阻止することができることを特徴とする請求項７又は８に記載の押しボタン錠装置である。
【００２６】
請求項９に記載の発明によれば、第１回転位置及び第２回転位置でタンブラーの回転の阻止をガイド孔で行うので、タンブラーを裏側に移動させ、タンブラーの回転を可能とすることを容易に行うことができる。したがって、タンブラーを取り外すことなく、解錠用の番号を変更することができる。
【発明の効果】
【００２７】
本発明の押しボタン錠装置は、不正解錠がされにくく、より小型化が可能で操作が簡単である。
【発明を実施するための最良の形態】
【００２８】
以下、本発明に関して詳細に説明する。
図１は、本発明の実施形態における押しボタン錠装置の斜視図である。図２、図３は、本発明の実施形態における押しボタン錠装置の分解斜視図である。図４は、本発明のタンブラーと押しボタンを示した分解斜視図である。図５は、本発明のタンブラーを裏側から見た斜視図である。図６は、本発明のタンブラーの横方向からみた模式図である。図７〜図１０は、本発明のロック部材と操作部材とタンブラー保持部材を上側からみた模式図である。図１１は、図１におけるＡ−Ａ断面図である。図１２は、本発明の押しボタン錠装置を用いた郵便受けの斜視図である。
【００２９】
本発明の実施形態における押しボタン錠装置１は、図１に示されるものであり、細長の直方体状であるケース部材８を有し、ケース部材８の表面側には７個の押しボタン１０と操作部材１１が設けられ、ケース部材８の側面にロック部材１２が設けられている。７個の押しボタン１０は直線状に配列している。
そして、押しボタン錠装置１は、図１２に示されるように、郵便受け２の扉９０部分に設ける等して使用される。
【００３０】
本明細書においては、押しボタン１０及び操作部材１１が設けられている側を表側、表側とは反対側を裏側とし、図１における上側・下側、図１における表裏方向、上下方向、左右方向（横方向）をそのまま表現して説明する。
なお、左右方向（横方向）は、ケース部材８の長手方向であり、押しボタン１０が配列している方向でもある。
【００３１】
押しボタン錠装置１には、図２，３に示されるように、スライド部材１３、タンブラー１４、タンブラー保持部材１５が設けられており、これらの部材はケース部材８の内部に配置されている。
【００３２】
ケース部材８は、図１，図２に示されるように、ケース本体６、表カバー５及び裏カバー７からなる。そして、ケース本体６と表カバー５とは２本のねじ２９で連結され、ケース本体６と裏カバー７とは２本のねじ３０で連結されている。なお、ねじ３０は裏側から挿入して行われる。
【００３３】
ケース本体６の詳細は、図３に示されている。ケース本体６には空間３５があり、空間３５は上側及び下側が開口状となっている。
そして、後述するように、空間３５の上側にはタンブラー保持部材１５が配置され、下側にはスライド部材１３が配置される。さらに、空間３５内であって、タンブラー保持部材１５とスライド部材１３との間にはタンブラー１４が配置される。空間３５には仕切部３９が設けられて、タンブラー１４同士の間を仕切部３９によって仕切っている。また、図１１に示されるように、仕切部３９の上側はタンブラー保持部材１５と接触して、移動の際にガイドとして機能し、仕切部３９の下側はスライド部材１３と接触する。したがって、仕切部３９は、タンブラー保持部材１５及びスライド部材１３の移動の際のガイドとして機能する。
【００３４】
また、図３に示されるように、ケース本体６には、ロック部材収納部３３、裏カバー用切り欠き３４、押しボタン用切り欠き３６及び操作部材用切り欠き３８が設けられている。
【００３５】
ロック部材収納部３３は、横方向に向かって開口状となっており、また、ロック部材収納部３３の表側の連通部４９は空間３５とつながっている。裏カバー用切り欠き３４は、ケース部材８の裏側に位置し、その形状は裏カバー７の形状と同様である。押しボタン用切り欠き３６は表側に設けられており、押しボタン１０の数に対応して７カ所設けられている。操作部材用切り欠き３８は、表側に設けられている。また、ケース部材６にはガイド孔３７が設けられており、裏カバー用切り欠き３４側と空間３５とをつなぐように設けられている。
【００３６】
そして、押しボタン用切り欠き３６とガイド孔３７は表裏方向に貫通しており、押しボタン用切り欠き３６から空間３５を経てガイド孔３７につながるように貫通孔が形成される。また、ガイド孔３７の形状は、水平方向のスリットと上下方向のスリットとを互いの中間部分でつないだ「十」字状である。
【００３７】
表カバー５は、図２に示されるように、上面部４０、表面部４１、下面部４２、側面部４３が設けられ、裏側は開口状となっている。そして、表面部４１の縁は他の部分より大きくフランジ状となっている。このフランジ状の部分は、郵便受け２の扉９０部分に取り付ける際の位置決めに用いられる。
【００３８】
表面部４１には、押しボタン用開口４１ａと操作部材用開口４１ｂが設けられている。そして、押しボタン用開口４１ａはケース本体６の押しボタン用切り欠き３６に対応する位置に設けられている。また、操作部材用開口４１ｂはケース本体６の操作部材用切り欠き３８に対応する位置に設けられている。
【００３９】
表カバー５をケース本体６に装着すると、上面部４０と下面部４２とによって、ケース本体６の空間３５の上下を覆う。そして、図１１に示されるように、上面部４０の内側はタンブラー保持部１５のガイドとして機能し、また、下面部４２の内側はスライド部材１３のガイドとして機能する。
【００４０】
裏カバー７は板状であり、ガイド孔４５が設けられている。ガイド孔４５はケース部材６のガイド孔３７とほぼ同じ形状であり、裏カバー７をケース本体６に取り付けた状態では、ガイド孔４５とケース本体６のガイド孔３７とが連通する。
【００４１】
押しボタン１０は、図４に示されるように、フランジ部１０ａを有する直方体状の部材であり、裏側には、タンブラー挿入穴１０ｂが設けられている。そして、表カバー５の押しボタン用開口４１ａ及びケース本体６の押しボタン用切り欠き３６の大きさは、押しボタン１０の幅とほぼ同じであり、押しボタン１０のフランジ部１０ａを含めた大きさよりも小さい。したがって、押しボタン１０はフランジ部１０ａで引っ掛かって表側に外れない構造となっている。
【００４２】
タンブラー挿入穴１０ｂの断面形状は円状であり、その直径はタンブラー１４の挿入部分の幅に等しい。したがって、タンブラー１４はタンブラー挿入穴１０ｂに挿入可能である。そして、タンブラー１４をタンブラー挿入穴１０ｂに挿入されると、タンブラー１４はタンブラー挿入穴１０ｂの中で、タンブラー挿入穴１０ｂの中心軸を軸として回転することができる。
【００４３】
操作部材１１は、図３に示されており、傾斜部１１ａ、挿入穴１１ｂ及び操作部１１ｃが設けられている。傾斜部１１ａは表裏方向に対して傾斜した面を有しており、タンブラー保持部材１５の傾斜部５９と接触してタンブラー保持部材１５を移動させることができる。さらに具体的には、図２、図７〜図１０に示されるように、傾斜部１１ａは操作部材１１の右側、すなわち、ロック部材１２が突出している側とは反対側に位置しており、傾斜部１１ａの傾斜する方向は、裏側に向かうほど左側（ロック部材１２が突出している側）となるような方向である。そして、タンブラー保持部材１５の傾斜部５９は、傾斜部１１ａの傾斜する方向と同じ方向に傾斜している。
【００４４】
また、挿入穴１１ｂは、裏側から表側に向かって設けられており、スライド部材１３の突出部１３ｂを裏側から挿入することができる。また、操作部１１ｃは、ケース部材８の表面側から露出する部分であり、押しボタン錠装置１の使用時には、外部からつまんで操作することができる。
【００４５】
ロック部材１２は、図３に示されるように、外側に位置する部分に傾斜部１２ｂが設けられた角棒状の部材であり、側面に長穴１２ａが設けられている。長穴１２ａには、後述するスライド部材１３の突出部１３ａを挿入することができる。具体的には、長穴１２ａをケース本体６の連通部４９側に向くように配置し、突出部１３ａを長穴１２ａに挿入する。
そして、図３に示すように、突出部１３ａの幅は長穴１２ａの幅より小さい。したがって、突出部１３ａを長穴１２ａに挿入した状態では、長穴１２ａの幅と突出部１３ａの幅の差の分だけは相対移動が可能であり、これを超えると相対移動ができなくなり、突出部１３ａの移動によりロック部材１２が移動する。
【００４６】
スライド部材１３は、板状であり、板面が水平面となるように設置される。そして、スライド部材１３には、突出部１３ａ、突出部１３ｂ及び移動規制突起１３ｃが設けられている。突出部１３ａは裏側に向かって突出し、突出部１３ｂは表側に向かって突出している。また、移動規制突起１３ｃは、タンブラー１４側である上側に向かって突出し、押しボタン１０の数である７カ所設けられており、その配列方向は横方向である。
【００４７】
タンブラー１４は、図４〜６に示されるように、細長い板状であって両側の縁が所定の凹凸状となっており、突起５０，５１、傾斜部５２、保持用凹部５３、押しボタン挿入部５４、棒状部５５、垂直部５６が設けられている。
【００４８】
突起５０及び突起５１はタンブラー１４の両側の縁にそれぞれ設けられ、図６に示されるように表裏方向の位置がずれている。垂直部５６は、裏側の端部に位置し突起５１側に伸びており、図５に示されるようにガイド孔３７の中心から端部までの長さよりも短く、垂直部５６はガイド孔３７に挿入可能である。そして、タンブラー１４は、突起５０，５１及び垂直部５６以外は両側の縁の形状はほぼ対称の形状である。
押しボタン挿入部５４は表側端部に位置しており、タンブラー挿入穴１０ｂの内径とほぼ同じ長さの幅である。また、押しボタン挿入部５４の裏側方向に隣接する位置に保持用凹部５３が設けられ、さらに、裏側方向には傾斜部５２が設けられている。
棒状部５５はばね１６が挿入される部分であり、タンブラー１４を表側に付勢する。
【００４９】
タンブラー保持部材１５は、押しボタン１０を押したときに、タンブラー１４の位置を保持するものである。そして、タンブラー保持部材１５は、引っかけ部４６と下側に突出する突起５８が設けられた保持板１５ａと、上側に突起５８に対応する凹部５７が設けられたスライド板１５ｂとを有している。そして、突起５８と凹部５７とを係合しながら、保持板１５ａをスライド板１５ｂの下側にして重ね合わせる。
また、スライド板１５ｂには傾斜部５９が設けられている。傾斜部５９は、操作部材１１の傾斜部１１ａに接触し、操作部材１１の傾斜部１１ａによって押されることによってスライド板１５ｂが移動する。
【００５０】
次に、押しボタン錠装置１の組立方法について説明する。
まず、ケース本体６に押しボタン１０とタンブラー１４とを取り付ける。このとき、ばね１６をタンブラー１４の棒状部５５に挿入し、垂直部５６をケース本体６のガイド孔３７に挿入する。また、タンブラー１４の押しボタン挿入部５４を押しボタン１０のタンブラー挿入穴１０ｂに入れ、押しボタン１０をケース本体６の押しボタン用切り欠き３６に挿入する。
タンブラー１４はこのようにして配置されているので、押しボタン１０のタンブラー挿入穴１０ｂとガイド孔３７とによってガイドされ、横方向や表裏方向を軸とする回転方向には動きが規制されている。
【００５１】
タンブラ−１４の向きは、解錠するために押す押しボタン１０に対応するものは、図６（ａ）に示すように、突起５１及び垂直部５６を上側とし、解錠するために押さない押しボタン１０に対応するものは、図６（ｃ）に示すように、突起５０を上側として設置する。
そして、本発明の実施形態の押しボタン錠装置１では、タンブラー１４の第１回転位置は突起５１及び垂直部５６を上側とした状態であり、（図６（ａ））タンブラー１４の第２回転位置は、突起５０を上側とした状態であって、第１回転位置からタンブラー１４の対称軸を中心として、１８０°回転させた位置である（図６（ｃ））。
【００５２】
そして、スライド部材１３、タンブラー保持部材１５、操作部材１１及びロック部材１２をケース本体６に取り付ける。具体的には、スライド部材１３の突出部１３ａをロック部材１２の長穴１２ａに挿入した状態とし、突出部１３ｂを操作部材１１の挿入穴１１ｂに挿入した状態とする。そして、ロック部材１２をケース本体６のロック部材収納部３３に、操作部材１１をケース本体６の操作部材用切り欠き３８に、位置するようにしながらスライド部材１３を配置する。
また、タンブラー保持部材１５は、上記したように、保持板１５ａとスライド板１５ｂとを重ね合わせてケース本体６の上側に配置する。タンブラー保持部材１５のスライド板１５ｂの板面と、スライド部材１３の板面とが平行となる。このとき、スライド板１５ｂの傾斜部５９と操作部材１１の傾斜部１１ａとが当接するようにする。
【００５３】
タンブラー１４の位置は、スライド部材１３とタンブラー保持部材１５との間に位置し、さらに、スライド部材１３の板面とタンブラー保持部材１５のスライド板１５ｂの板面との間に挟まれている。
【００５４】
そして、表カバー５と裏カバー７をケース本体６に装着する。そうすると、図１１に示すように、スライド部材１３、タンブラー１４及びタンブラー保持部材１５はケース部材８の内部に収納される。
タンブラー１４は、使用状態では、押しボタン１０のタンブラー挿入穴１０ｂ、ガイド孔３７及びガイド孔４５によってガイドされて動きが規制されているので、表裏方向にのみ移動が可能である。特に、ガイド孔３７及びガイド孔４５は、タンブラー１４の回転方向の移動も規制している。スライド部材１３及びタンブラー保持部材１５は、仕切部３９と表カバー５との間で挟まれて動きが規制されているので、横方向にのみ移動する。
したがって、スライド部材１３及びタンブラー保持部材１５の移動方向は、タンブラー１４の移動方向に対して垂直である。
【００５５】
また、各部材はばねによって一定の方向に付勢されている。
具体的には、図２に示されるように、タンブラー保持部材１５はばね１９によって左側に向かって付勢されている。また、図３に示されるように、ロック部材１２はばね６０によって左側、すなわち、突出する方向に向かって付勢されている。操作部材１１はばね１７によって、表側に向かって付勢されている。さらに、図１１に示されるように、タンブラー１４は、ばね１６によって表側に向かって付勢されている。
【００５６】
ロック部材１２は、突出する方向に付勢されているが、突出部１３ａと長穴１２ａの係合により、外部に離脱することはない。そして、図１、図２、図７に示されるように、ロック部材１２は、操作部材１１の操作などが無い場合には、傾斜部１２ｂがケース本体６の外部に露出している。
【００５７】
次に、押しボタン錠装置１を使用する場合について説明する。
解錠する場合には、７個の押しボタン１０の内、予め設定しておいた番号を押す。そうすると、押しボタン１０に対応するタンブラー１４がタンブラー保持部材１５により保持される。
【００５８】
図６を用いて説明すると、押しボタン１０を押さない状態では、図６（ａ）、（ｃ）のいずれかに示される状態である。解錠のために押す押しボタン１０に対応するタンブラー１４は図６（ａ）に示す状態であり、解錠する際に押さない押しボタン１０に対応するタンブラー１４は図６（ｃ）に示す状態である。
【００５９】
そして、押しボタン１０をばね１６の付勢力より大きな力で押すと、タンブラー１４は裏側（図６において左側）に向かって移動する。そして、タンブラー保持部材１５の引っかけ部４６が、タンブラー１４の傾斜部５２によって乗り上げて、傾斜部５２の表側に位置する保持用凹部５３に落ち込む。そして、タンブラー１４がばね１６により表側に向かう方向に付勢されているが、引っかけ部４６と保持用凹部５３とによって係合し保持される。そして、図４（ａ）、図６（ａ）及び図６（ｃ）の状態から、図４（ｂ）、図６（ｂ）及び図６（ｄ）の状態となる。
したがって、設定しておいた番号である解錠のために押す押しボタン１０だけを押した場合には、タンブラー１４は、図６（ｂ）の状態、または、図６（ｃ）の状態となる。
【００６０】
なお、スライド部材１３には、移動規制突起１３ｃが設けられているが、図４に示すように、押しボタン１０を押す際には、移動規制突起１３ｃ同士の間にタンブラー１４が位置しているので、干渉することなくタンブラー１４は移動する。
【００６１】
次に、解錠のために押す押しボタン１０だけを押した状態で操作部材１１を右方向、すなわち、ロック部材１２が退入する方向に向かって移動させる。このとき、図７、図８に示されているように、スライド部材１３の突出部１３ｂは、操作部材１１の挿入穴１１ｂに挿入されているので、操作部材１１の横方向の動きは、スライド部材１３と連動している。
スライド部材１３には、図４に示すように、移動規制突起１３ｃが設けられている。そして、タンブラー１４の突起５０、５１が移動規制突起１３ｃの位置に合うと、スライド部材１３の横方向の移動を規制する。そして、いずれかのタンブラー１４の突起５０、５１が移動規制突起１３ｃの位置に合うと、スライド部材１３は横方向に移動できない。したがって、押しボタン１０の番号が１つでも間違っていると、操作部材１１は移動することはなく、解錠できない。
【００６２】
しかし、予め設定しておいた番号である解錠する際に押す押しボタン１０のみを押した場合には、タンブラー１４は図６（ｂ）、又は、図６（ｃ）のいずれかの状態となり、全ての突起５０、５１が、移動規制突起１３ｃに干渉することがなく、スライド部材１３は横方向に移動可能となる。そして、スライド部材１３は操作部材１１の横方向の動きに伴って移動するものであるので、操作部材１１を右方向に向かって移動させると、スライド部材１３が右方向に向かって移動する。
【００６３】
さらに、図７に示されるように、スライド部材１３の突出部１３ａがロック部材１２の長穴１２ａに挿入されているので、ばね６０の付勢力より大きい力で移動させることにより、スライド部材１３の動きに合わせてロック部材１２が右方向に移動し、図８に示されるようにロック部材１２が退入して解錠することができる。そして、本発明の実施形態では、ロック部材１２が退入する方向が第２の方向となる。
そして、図１２に示す状態のように、郵便受け２に用いられている場合には、ロック部材１２が退入するので、ロック部材１２と受け穴９１との係合が解け、扉９０を開くことが出来る。
【００６４】
また、操作部材１１が右方向に移動する場合には、操作部材１１の傾斜部１１ａがスライド板１５ｂの傾斜部１１ａに接触しているので、操作部材１１の傾斜部１１ａがタンブラー保持部材１５のスライド板１５ｂの傾斜部５９を押し、スライド板１５ｂがばね１９の付勢力に打ち勝って右方向に移動する。そうすると、保持板１５ａも移動し、引っかけ部４６と保持用凹部５３との係合が解けるので、ばね１６の付勢力によって押しボタン１０が復帰する。
したがって、操作部材１１を右方向（ロック部材が退入する方向）に操作すると、ロック部材１２が退入しつつ、タンブラー保持部材１５によるタンブラー１４の保持を解除して、押しボタン１０のリセットをし、解錠操作と押しボタン１０のリセットを操作を連動させることができる。
【００６５】
また、予め設定しておいた番号でない、解錠する際に押してはいけない押しボタン１０の番号を間違えて押した場合、タンブラー１４が保持されて図６（ｄ）の状態となり、スライド部材１３の移動が規制され、解錠することができない。その場合には、タンブラー１４の保持を解除するリセット操作を行う。本発明の実施形態では、このリセット操作は、操作部材１１を裏側に向かって押すものである。このリセット操作の方向は、タンブラー１４の保持を解除するための操作部材１１の操作方向である第１の方向となり、前記した、押しボタン１０の押動方向と同じ方向である。
【００６６】
操作部材１１を裏側に向かって押すと、傾斜部１１ａが裏側に向かって進むので、傾斜部１１ａと傾斜部５９との接触部分が滑りながら、傾斜部５９を右側に押して、スライド板１５ｂが右側に向かって移動する（図９）。そうすると、保持板１５ａも右側に移動して、引っかけ部４６と保持用凹部５３との係合が解ける。そして、ばね１６の付勢力によってタンブラー１４が表側に移動して押しボタン１０が復帰する。
【００６７】
また、図１２に示すような、扉９０が開いている状態から施錠する場合には、そのままの状態で扉９０を閉じればよい。すなわち、図１０に示されるように、ロック部材１２をばね６０の付勢力に打ち勝つ力で退入方向に押すと、スライド部材１３が移動しなくともロック部材１２が退入することができるので、ロック部材１２の傾斜部１２ｂによって受け穴９１に進入して施錠することができる。
【００６８】
解錠するための押しボタン１０の番号を変更する場合には、以下のようにしてタンブラー１４を回転させることにより行う。具体的にはタンブラー１４を１８０°上下反転させて、第１回転位置から第２回転位置へ、又は、第２回転位置から第１回転位置へと向きを変えて、任意の押しボタン１０について、解錠するために押す番号から押してはいけない番号へ、又は、その逆に変えることができる。
以下に示す例は、解錠するために押す番号から押してはいけない番号へ変更する場合について説明するが、その逆も同様な方法によって行う。
【００６９】
まず、ケース部材８の裏カバー７を取り外す。そして、表側から押しボタン１０を押すと、タンブラー１４はタンブラー保持部材１５より保持されて、図５（ａ）の状態から図５（ｂ）の状態となる。そして、図６（ｂ）にも示されているように、押しボタン１０を押した状態では、タンブラー１４の垂直部５６は、裏カバ−７の内に位置している。具体的には、ガイド孔４５でガイドされているので、裏カバー７を外した状態では図５（ｂ）に示すように垂直部５６が露出する。
【００７０】
上記したように、使用状態では、タンブラー１４は、ガイド孔３７及びガイド孔４５によってタンブラー１４の回転方向の移動を規制しているが、この状態では、タンブラー１４は、表裏方向を軸として回転させることができる。すなわち、裏カバー７を取り外すと、タンブラー１４はガイド孔４５によって行われている表裏方向を軸とする回転方向の規制が解除され、タンブラー１４の押しボタン挿入部５４がタンブラ−挿入穴１０ｂ内に沿うようにさせてタンブラー１４を回転させることができる。
そして、垂直部５６は外部に露出しているので、垂直部５６をつまんで、タンブラー１４を表裏方向を軸として回転させることにより、図５（ｂ）及び図６（ｂ）の状態である第１回転位置から、図５（ｃ）及び図６（ｄ）の状態である第２回転位置へと変更することができる。
【００７１】
そうして、必要なタンブラー１４を回転させて、裏カバー７と取り付けて番号の変更が終了する。なお、図５（ｃ）の状態から、タンブラー１４のタンブラー保持部材１５による保持を解除すると、図５（ｄ）に示されるように、タンブラー１４は表側方向に移動すると、ガイド孔３７によりガイドされる。
【００７２】
このように、本発明の実施形態の押しボタン錠装置１では、裏カバー７を外してタンブラー１４を外側から回転させるだけで解錠のための押しボタン１０の番号を変更することができる。したがって、従来の錠装置のように、解錠用と非解錠用のタンブラー１４を用意して交換するなど複雑な作業を必要としないので、番号の変更を専門の業者に依頼することなく、素人にも簡単に間違いなくすることができる。
【００７３】
また、押しボタン１０の一部又は全部を用いないようにすることもできる。この場合には、押しボタン１０の番号変更の手順と同様に裏側からタンブラー１４をつまんで回転させるが、このとき、１８０°ではなく９０°だけ回転させる。そうして、タンブラー１４の面が水平方向となるようにする。このとき、タンブラー１４の面がガイド孔３７の水平方向のスリット部分に合うので、タンブラー１４はガイド孔３７によってガイドされる。
【００７４】
タンブラー１４の面が水平方向となると、タンブラー１４の突起５０、５１がスライド部材１３の移動規制突起１３ｃに接触することがなく、また、押しボタン１０を押してもタンブラー１４はスライド部材１５に引っ掛からない。したがって、その押しボタン１０の操作に関係なく、スライド部材１５の移動が可能となり、解錠が可能となる。さらに、全てのタンブラー１４を横向きにすることで、押しボタン１０を操作することなく、単に操作部材１１を右方向に移動させることで、解錠が可能となる。
【００７５】
本発明の実施形態における押しボタン錠装置１では、操作部材１１の操作方向は、第１の方向は押しボタン１０の押動方向であり、第２の方向はロック部材１２の退入方向であったが、他の方向でも良く、操作部材１１の操作方向を回転させる方向でも良い。
【００７６】
また、本発明の実施形態では、ケース本体６のガイド孔３７及び裏カバー７のガイド孔４５の形状は、十字状であったが、上下方向のスリットのみとしてもよい。ただし、この場合には、タンブラー１４の面を水平方向とすることができない。
【００７７】
本発明の実施形態の押しボタン錠装置１では、タンブラー１４の第１回転位置と第２回転位置との関係は、押しボタン１０の押動方向を軸として１８０°回転させた位置であるが、１８０°でなくてもよく、所定の角度とすることもできる。この場合には、タンブラー１４の突起５０と突起５１の位置関係を、所定の角度の回転対称とすることが必要である。
【産業上の利用可能性】
【００７８】
本発明は、不正解錠がされにくく、より小型化が可能で操作が簡単な押しボタン錠装置を提供することができる。
【図面の簡単な説明】
【００７９】
【図１】本発明の実施形態における押しボタン錠装置の斜視図である。
【図２】本発明の実施形態における押しボタン錠装置の分解斜視図である。
【図３】本発明の実施形態における押しボタン錠装置の分解斜視図である。
【図４】本発明のタンブラーと押しボタンを示した分解斜視図であり、（ａ）は、押しボタンを押していない状態であり、（ｂ）は、押しボタンを押した態である。
【図５】本発明のタンブラーを裏側から見た斜視図であり、（ａ）は、第１回転位置で押しボタンを押していない状態であり、（ｂ）は、第１回転位置で押しボタンを押した状態であり、（ｃ）は、第２回転位置で押しボタンを押した状態であり、（ｄ）は、第２回転位置で押しボタンを押していない状態である。
【図６】本発明のタンブラーの横方向からみた模式図であり、（ａ）は、第１回転位置で押しボタンを押していない状態であり、（ｂ）は、第１回転位置で押しボタンを押した状態であり、（ｃ）は、第２回転位置で押しボタンを押していない状態であり、（ｄ）は、第２回転位置で押しボタンを押した状態である。
【図７】本発明のロック部材と操作部材とタンブラー保持部材を上側からみた模式図である。
【図８】本発明のロック部材と操作部材とタンブラー保持部材を上側からみた模式図である。
【図９】本発明のロック部材と操作部材とタンブラー保持部材を上側からみた模式図である。
【図１０】本発明のロック部材と操作部材とタンブラー保持部材を上側からみた模式図である。
【図１１】図１におけるＡ−Ａ断面図である。
【図１２】本発明の押しボタン錠装置を用いた郵便受けの斜視図である。
【符号の説明】
【００８０】
１  押しボタン錠装置
８  ケース部材
１０  押しボタン
１１  操作部材
１１ａ  傾斜部
１２  ロック部材
１３  スライド部材
１３ｃ  移動規制突起
１４  タンブラー
１５  タンブラー保持部材
３７  ガイド孔
４５  ガイド孔
５０、５１  突起
【図１】
2005089998.tif 000003
【図２】
2005089998.tif 000004
【図３】
2005089998.tif 000005
【図４】
2005089998.tif 000006
【図５】
2005089998.tif 000007
【図６】
2005089998.tif 000008
【図７】
2005089998.tif 000009
【図８】
2005089998.tif 000010
【図９】
2005089998.tif 000011
【図１０】
2005089998.tif 000012
【図１１】
2005089998.tif 000013
【図１２】
2005089998.tif 000014